(57)【要約】【課題】  ある程度の水深があれば、水槽、タンク、海、湖、河川などで、簡単に発電することができる省エネルギー・無公害発電装置を提供する。【解決手段】  水槽中で、昇降回転・循環動可能に設置された膨張収縮自在容器に上昇開始時に圧縮空気を供給し該容器を上昇させ、上昇とともに水圧により生じる浮力発生させ、上昇終了最上部でこの動力源を利用して、発電変換装置に連動させて発電させる発電装置である。【選択図】図１
0003129232.tif 000002
【実用新案登録請求の範囲】
【請求項１】
水槽中、上昇開始最下部で圧縮空気を供給し、上昇とともに生じる、水圧により得られる浮力を動力源とする発電装置において、該圧縮空気受供給容器が昇降回転・循環動が可能に設置された膨張収縮自在容器であることを特徴とする発電装置。
【請求項２】
水槽中、上昇開始最下部で圧縮空気を供給し、上昇とともに生じる、水圧により得られる浮力を動力源とする発電装置において、該圧縮空気受供給容器が有孔吸入板を介して圧縮空気を供給する構造を特徴とする請求項１記載の発電装置。
【請求項３】
水槽中、上昇開始最下部で圧縮空気を供給し、上昇とともに生じる、水圧により得られる浮力を動力源とする発電装置において、該圧縮空気受供給容器の有孔吸入板の孔径が０．１〜２．０ｍｍ、孔面積割合が３〜２５％であることを特徴とする請求項１及び２記載の発電装置。
【考案の詳細な説明】
【技術分野】
【０００１】  本考案は、自然界に存在している重力、水圧及び水中浮力を利用した、省エネルギー・無公害発電装置に関する。
詳しくは、水槽中で、昇降回転・循環動可能に設置された膨張収縮自在容器に上昇開始時に圧縮空気を供給し、上昇とともに水圧により生じる浮力を動力源とする発電装置である。
【背景技術】
【０００２】  従来の発電装置としては、化石燃料を燃焼させる火力発電装置、水を高所から落下させる水力発電装置、ウラン燃料を核分裂させる原子力発電装置、潮の干満差を利用する潮力発電装置、波の上下運動を利用する波力発電装置、太陽光を利用する太陽光発電装置、風を利用した風力発電装置等が知られている。
しかしながら、上記の発電装置には、各々に立地条件、建設費用、環境保全、安全性、安定供給、発電能力、送電設備、発電経費等の問題点が指摘されている。【０００３】  特に、従来の水力発電装置の場合は、高所や山岳地帯に大規模な貯水池やダム湖を必要とするため、建設費用は高額になり、また建設による環境破壊も大きな社会問題となっている。
また、安定発電に必要な水量は、自然現象に大きく依存していて、乾燥地・砂漠地・市街地では設置が不可能な装置である。【０００４】  これらの問題点を解決するために、水槽中で、水圧による浮力を利用して昇降回転体に多数の浮体を装着してエアーを吹き込んで浮体の上昇によって回転を起こし発電する装置も開示されている（例えば、特開２００１−２０７９４５）。
しかしながら、該浮体は、水中で開放状態のままであるので、発生力が減少し、伝達効率も低くて不安定なものになっている。
【考案の開示】
【考案が解決しようとする課題】
【０００５】  従来の水力発電装置には、上記の課題がある。
本考案の目的は、特に水力発電装置の立地条件、環境保全、建設費用、発電経費の課題を解決しようとすることであり、大規模な貯水池やダム湖を必要としない、ある程度の深さの水槽があれば発電できる省エネルギー・無公害発電装置を提供しようとするものである。
【課題を解決するための手段】
【０００６】  本考案は、上記の課題を解決するために、水槽１中に、昇降回転・循環動可能に設置された膨張収縮自在容器２に、エアアーコンプレッサアー３を介して、圧縮空気を供給し、上昇とともに水圧により生じる浮力を動力源として、直接的或いは間接的に発電機を駆動するようにした発電装置である。
さらに発電を効率的に行うために、圧縮空気の供給を有孔構造の吸入板を介して行う方法も採用した。
【考案の効果】
【０００７】  従来の発電装置は、ダムによる自然環境破壊、化石燃料の資源枯渇・燃焼による地球温暖化、原子力の安全性・使用済み核燃料処理等で地球の環境に悪影響をおよぼしているが、本考案発電装置を使用した発電はこれらの問題点を解決し、恒久的な電力を得ることが可能となる。
また、本考案発電装置は、構造が簡単で、ある程度の水深があれば発電が可能であるので、設置場所の制約もなく、水槽以外にもタンクあるいは海、湖、河川、池等に設置することも可能である。
さらに、本考案発電装置は、設備規模は限定されないので、必要な電力量に応じて、膨張収縮自在容器の容積・設置数を調整し、工場、各種施設、家庭等への設置、増設も可能である。
【考案を実施するための最良の形態】
【０００８】  本考案の発電装置は、ある程度の深さを有する水槽、該水槽中に鉛直に立てた支持台、該支持台に等間隔に昇降回転・循環動可能に設置された複数の膨張収縮自在容器、該膨張収縮自在容器に圧縮空気を供給するエアーコンプレッサー装置及び発生動力源を電気エネルギーに変換させる発電変換装置等の手段を有するものである。
さらに発電を効率的に行うためには、該膨張収縮自在容器への圧縮空気の供給は、有孔構造の吸入板を介して行うことが効果的である。
【実施例】
【０００９】  以下に、本考案の一実施形態を、図面を参照して説明する。
ある程度の深さを有する水槽１中に、該水槽１中に鉛直に立てられた支持台３に、等間隔に昇降回転・循環動可能に複数個の膨張収縮自在容器４を設置し、該膨張収縮自在容器に上昇開始最下部でエアーコンプレッサー４からの圧縮空気を圧縮空気供給口６より供給し、該膨張収縮自在容器を膨張状態で上昇させ、水面２より少し上部の上昇終了最上部で、上昇とともに水圧により生じた浮力を動力源として発電変換装置（図示せず）を介して発電を行う。
該膨張収縮自在容器は、上昇終了後は、収縮状態で下降しながら循環動して、上昇開始最下部に到達し、同様の操作を繰り返し行う。【００１０】  実施形態では水槽としているが、ある程度の水深があるものであれば水槽以外にもタンク或いは海、湖、河川、池等に設置することも可能である。
水槽、タンク等場合は、一部或いは全部を地中に埋め込む方式で行っても何ら問題はない。【００１１】  つぎに、膨張収縮自在容器の底面形状は略円形が好ましいが、三角形、四角形或いは他の多角形でも何ら問題はない。
また、膨張収縮自在容器の膨張収縮自在部の材質としては、シリコーンゴム、フッソゴム、ポリプロピレン繊維、ポリアミド繊維、ポリイミド繊維等の軽量・高強度で膨張収縮可能材料であれば何れの使用も可能である。
該膨張収縮自在容器の膨張形態としては、袋状であればよいが、上部先端に向かって徐々に絞られた構造がより効果的である。【００１２】  さらに、膨張収縮自在容器への圧縮空気の供給は、有孔構造の吸入板７を介して行うと、水即ち液体の混入を防ぎ、空気即ち気体のみの供給が得られ、気体が液体より少ない運動量で圧力を高められることであることから、より効果的である。
【図面の簡単な説明】
【００１３】
【図１】  本考案の一実施例を示す説明図である。
【図２】  本考案の膨張収縮自在容器の一実施例を示す説明図である。
【図３】  本考案の有孔圧縮空気吸入板の一実施例を示す平面説明図である。
【符号の説明】
【００１５】１  水槽
２  水面
３  支持台
４  膨張収縮自在容器
５  エアーコンプレッサー
６  圧縮空気貯蔵室
７  圧縮空気供給口
８  有孔吸入板
【図１】
0003129232.tif 000003
【図２】
0003129232.tif 000004
【図３】
0003129232.tif 000005
【手続補正書】
【提出日】平成18年10月28日(2006.10.28)
【手続補正１】
【補正対象書類名】実用新案登録請求の範囲
【補正対象項目名】全文
【補正方法】変更
【補正の内容】
【実用新案登録請求の範囲】
【請求項１】
水の入った水槽と、該水槽中に鉛直に立てられ上下各々に円滑車を有し該円滑車と一体連動されたベルト構造を有し該ベルト及び該ベルトへの連結体が上下回転運動ができる構造の支持台と、該支持台のベルトへ連結体として等間隔に設置された圧縮空気吸入容器と、エアーコンプレッサーで得られた圧縮空気を圧縮空気貯蔵室を経由して圧縮空気供給口より圧縮空気吸入容器に圧縮空気を供給させる構造の圧縮空気供給装置からなる動力発生装置において、該圧縮空気吸入容器が圧縮空気吸入により膨張し、最上部で圧縮空気が排出されることにより収縮することが可能な膨張収縮自在な材質及び形状からなることを特徴とする動力発生装置。
【請求項２】
該膨張収縮自在の圧縮空気吸入容器において、圧縮空気吸入具が有孔の板状構造であることを特徴とする請求項１記載の動力発生装置。
【請求項３】
該膨張収縮自在の圧縮空気吸入容器の吸入具の有孔の板状構造が、孔径が０．１〜２．０ｍｍ、孔面積割合が３〜２５％であることを特徴とする請求項２記載の動力発生装置。
【手続補正３】
【補正対象書類名】明細書
【補正対象項目名】０００１
【補正方法】変更
【補正の内容】
【０００１】  本考案は、自然界に存在している重力、水圧及び水中浮力を利用した、省エネルギー・無公害の発電用等の動力発生装置に関する。
詳しくは、水槽中で、昇降回転・循環動可能に設置され膨張収縮自在容器に上昇開始時に圧縮空気を供給し、上昇とともに水圧により生じる浮力を利用した発電用動力発生装置である。
【手続補正４】
【補正対象書類名】明細書
【補正対象項目名】０００６
【補正方法】変更
【補正の内容】
【０００６】  本考案は、上記の課題を解決するために、水槽１中に、昇降回転・循環動可能に設置された膨張収縮自在容器４に、エアコンコンプレッサー５等からの圧縮空気を供給し、上昇とともに水圧により生じる浮力を利用した動力発生装置である。
得られた動力で、直接的或いは間接的に発電機を駆動させることにより、発電を行うことが可能となる。
さらに動力発生効率を高めるには、圧縮空気の吸入具は有孔の板状構造が効果的である。
【手続補正５】
【補正対象書類名】明細書
【補正対象項目名】０００７
【補正方法】変更
【補正の内容】
【０００７】  従来の発電装置は、ダムによる自然環境破壊、化石燃料の資源枯渇・燃焼による地球温暖化、原子力の安全性・使用済み核燃料処理等で地球の環境に悪影響をおよぼしているが、本考案動力発生装置の動力を利用した発電はこれらの問題点を解決し、恒久的な電力を得ることが可能となる。
また、本考案動力発生装置は、構造が簡単で、ある程度の水深があれば動力発生が可能であるので、設置場所の制約もなく、水槽以外にもタンク或いは海、湖、河川、池等に設置することも可能である。
さらに、本考案動力発生装置は、設備規模は限定されないので、必要な動力量に応じて、膨張収縮自在容器の容積・設置数を調整し、工場、各種施設、家庭等への設置、増設も可能である。
【手続補正６】
【補正対象書類名】明細書
【補正対象項目名】０００８
【補正方法】変更
【補正の内容】
【０００８】  本考案の動力発生装置は、ある程度の水深を有する水槽１、該水槽１中に鉛直に立てた支持台３、該支持台３に等間隔に昇降回転・循環動可能に設置された複数の膨張収縮自在容器４、該膨張収縮自在容器に圧縮空気を供給させるエアーコンプレッサー５装置等の構造を有するものである。
得られた動力で、直接的或いは間接的に発電機を駆動させることにより、発電が可能となる。
さらに動力発生効率を高めるためには、圧縮空気の吸入具は有孔の板状構造が効果的である。
【手続補正７】
【補正対象書類名】明細書
【補正対象項目名】０００９
【補正方法】変更
【補正の内容】
【０００９】  以下に、本考案の一実施形態を、図面を参照して説明する。
ある程度の水深を有する水槽１中に、該水槽１中に鉛直に立てられた支持台３に、等間隔に昇降回転・循環動可能に複数個の膨張収縮自在容器４を設置し、該膨張収縮自在容器４に上昇開始最下部でエアーコンプレッサー５からの圧縮空気を圧縮空気貯蔵室６を経由して圧縮空気供給口７より供給し、該膨張収縮自在容器４を膨張状態で上昇させ、水面２より少し上部の上昇終了最上部で、上昇とともに水圧により生じた浮力を利用した動力発生装置である。
得られた動力を、直接的或いは間接的に動力発電変換装置を介して発電を行う。
該膨張収縮自在容器４は、上昇終了後は、収縮状態で下降しながら循環動して、上昇開始最下部に到達し、同様の操作を繰り返し行う。
【手続補正８】
【補正対象書類名】明細書
【補正対象項目名】００１２
【補正方法】変更
【補正の内容】
【００１２】  さらに、膨張収縮自在容器４への圧縮空気の供給は、有孔の板状構造の吸入具８を介して行うと、水即ち液体の混入を防ぎ、空気即ち気体のみの吸入が得られ、気体が液体より少ない運動量で圧力を高められることであることから、より効果的である。
【手続補正９】
【補正対象書類名】明細書
【補正対象項目名】００１５
【補正方法】変更
【補正の内容】
【００１５】１  水槽
２  水面
３  支持台
４  膨張収縮自在容器
５  エアーコンプレッサー
６  圧縮空気貯蔵室
７  圧縮空気供給口
８  有孔の板状構造の吸入具
９  円滑車
１０  回転ベルト
【手続補正１０】
【補正対象書類名】図面
【補正対象項目名】図１
【補正方法】変更
【補正の内容】
【図１】
0003129232.tif 000006
【手続補正１１】
【補正対象書類名】図面
【補正対象項目名】図２
【補正方法】変更
【補正の内容】
【図２】
0003129232.tif 000007